(57)【要約】【課題】システムマイコンのデータ取得容量が小さくとも、効率的なデータの検索を行う。【解決手段】データ格納手段の格納領域が複数に分割され、分割された個々の格納領域がそれぞれ連番を付した異なるページとして定義され、データの一部を所定の規則に従ってページにそれぞれ格納するページ構築手段を備える。【選択図】図１
2009158072.tif 000002
【特許請求の範囲】
【請求項１】
データが格納される記憶手段と、
前記データに関する情報を所定数表示する表示手段と、
前記データを複数のページ群として構築するページ構築手段と、
前記ページ構築手段により構築されたページのうち前記表示手段による表示対象のデータが含まれているページを中心ページとし、当該中心ページに含まれるデータについては所定数のデータに関する情報を格納し、前記中心ページに隣接する隣接ページに含まれるデータについては、前記中心ページにおける格納数に達しない範囲で、前記表示手段が表示可能な所定数と同数または同数以上の前記データに関する情報を格納する、データ格納手段と、
を具備することを特徴とするデータ処理装置。
【請求項２】
前記中心ページおよび前記隣接ページ以外のページについては、前記隣接ページの格納数に達しない範囲で、前記表示手段が表示可能な所定数と同数または同数以上の数の前記データに関する情報を格納する、
ことを特徴とする請求項１記載のデータ処理装置。
【請求項３】
前記中心ページにおいて前記データを前記データ格納手段に格納する所定数は、当該ページに格納し得る上限数であることを特徴とする、
請求項１記載のデータ処理装置。
【請求項４】
前記表示手段が表示可能な所定数と同数以上の数は、前記表示手段が表示可能な所定数の整数倍であることを特徴とする、
請求項１記載のデータ処理装置。
【請求項５】
前記複数のページ群において、隣接関係にあるページ群として構築されている前記データは、各々の隣接関係において連続性を有したデータであることを特徴とする、
請求項１に記載のデータ処理装置。
【請求項６】
データ処理装置が具備するページ構築手段が、データを複数のページ群として構築し、前記データ処理装置が具備するデータ格納手段が、前記ページ構築手段により構築されたページのうち、前記データ処理装置が具備する前記データを表示する表示手段による表示対象のデータが含まれているページを中心ページとし、当該中心ページに含まれるデータについては所定数のデータに関する情報を格納し、前記中心ページに隣接する隣接ページに含まれるデータについては、前記中心ページにおける格納数に達しない範囲で、前記表示手段が表示可能な所定数と同数または同数以上の前記データに関する情報を格納することを特徴とするデータ処理方法。
【請求項７】
情報処理装置にインストールすることにより、その情報処理装置に、
データを複数のページ群として構築するページ構築手段に相応する機能と、
前記ページ構築手段により構築されたページのうち、表示手段による表示対象のデータが含まれているページを中心ページとし、当該中心ページに含まれるデータについては所定数のデータに関する情報を格納し、前記中心ページに隣接する隣接ページに含まれるデータについては、前記中心ページにおける格納数に達しない範囲で、前記表示手段が表示可能な所定数と同数または同数以上の前記データに関する情報を格納する、データ格納手段に相応する機能と、
を実現させることを特徴とするプログラム。
【発明の詳細な説明】
【技術分野】
【０００１】
本発明は、データ処理装置および方法およびプログラムに関する。
【背景技術】
【０００２】
例えばオーディオ装置等においては、システムマイコン（制御側）から再生するファイルを指定する際に、当該システムマイコン側で、どのファイルを再生するのかを管理する必要がある。そのため、システムマイコンでは、ＤＳＰ(Digital Signal Processor)が取得した分のファイルやフォルダに関するデータ格納部を有している。ここで、システムマイコン側におけるデータの取得容量には限界があるため、当該システムマイコン側では、データ格納部にデータを格納する際に、ファイル／フォルダ数に制限を設けている。
【０００３】
ところで、ＤＳＰ側では、システムマイコン側における制限とは関係なく、ファイル／フォルダを取得している。そのため、ＤＳＰが取得しているものの、システムマイコン側では制限が掛かって取得できないものにつき、システムマイコン側において検索を行うことができない。
【０００４】
ここで、データ検索に関しては、ＤＳＰが取得したデータを加工処理して小さくし、システムマイコン側でのデータ検索を可能とするために、特許文献１および特許文献２に開示の手法がある。
【０００５】
【特許文献１】特開２００７−１５６２０９号公報
【特許文献２】特開２００７−１０２９２２号公報
【発明の開示】
【発明が解決しようとする課題】
【０００６】
例えば、特許文献１には、データをグループ分けして記憶容量の大きなメモリに格納しておき、検索を行う際に、各グループの特徴を表すキーワードなどによりグループを特定した上で、そのグループに限定して検索を実行する技術が開示されている。これによれば、ＤＳＰが取得した全データの中から該当するグループに属するデータのみを抽出してシステムマイコン側に格納し直し、そのデータの検索を行うことができる。
【０００７】
また、特許文献２には、データを識別するために必要最小限のタイトル等のデータの一部をコピーあるいは分割してデータ格納部に格納し、これを検索する技術内容について開示されている。これによれば、ＤＳＰが取得した全データの中からデータの一部のみを抽出してシステムマイコン側に格納し、その一部のデータを用いて検索を行うことができる。
【０００８】
しかしながら、上述の特許文献１、２にみられるようなグループ分けやデータの一部のコピーあるいは分割を行い、データ格納部の記憶容量の不足を補う方法では、データを加工処理する必要があり、取得したデータをそのまま利用することができない。
【０００９】
例えば、データの加工処理を必要とする装置構成とした場合には、データを加工処理するための機能ブロックおよび工程が必要となり、装置全体の処理負荷が増加する可能性がある。
【００１０】
あるいは、ユーザが検索に用いるデータの種別（タイトル、キーワードなど）については、ユーザによって様々であるため、データの加工処理によってユーザが検索するために必要とするデータまでもが失われてしまう可能性がある。よって、このような加工処理を必要とせず、システムマイコンのデータ取得容量が小さくとも、効率的なデータ検索を行うことができることが望ましい。
【００１１】
本発明は、このような課題を解決するために行われたものであって、システムマイコンのデータ取得容量が小さくとも、効率的なデータ検索を行うことができるデータ処理装置および方法およびプログラムを提供することを目的とする。
【課題を解決するための手段】
【００１２】
本発明をデータ処理装置としての観点から観ると、本発明は、データが格納される記憶手段と、前記データに関する情報を所定数表示する表示手段と、前記データを複数のページ群として構築するページ構築手段と、前記ページ構築手段により構築されたページのうち前記表示手段による表示対象のデータが含まれているページを中心ページとし、当該中心ページに含まれるデータについては所定数のデータに関する情報を格納し、前記中心ページに隣接する隣接ページに含まれるデータについては、前記中心ページにおける格納数に達しない範囲で、前記表示手段が表示可能な所定数と同数または同数以上の前記データに関する情報を格納する、データ格納手段と、を具備することを特徴とする。
【００１３】
また、本発明をデータ処理方法としての観点から観ると、本発明は、データ処理装置が具備するページ構築手段が、データを複数のページ群として構築し、データ処理装置が具備するデータ格納手段が、前記ページ構築手段により構築されたページのうち、前記データ処理装置が具備する前記データを表示する表示手段による表示対象のデータが含まれているページを中心ページとし、当該中心ページに含まれるデータについては所定数のデータに関する情報を格納し、前記中心ページに隣接する隣接ページに含まれるデータについては、前記中心ページにおける格納数に達しない範囲で、前記表示手段が表示可能な所定数と同数または同数以上の前記データに関する情報を格納することを特徴とする。
【００１４】
また、本発明をプログラムとしての観点から観ると、本発明は、情報処理装置にインストールすることにより、その情報処理装置に、データを複数のページ群として構築するページ構築手段に相応する機能と、前記ページ構築手段により構築されたページのうち、表示手段による表示対象のデータが含まれているページを中心ページとし、当該中心ページに含まれるデータについては所定数のデータに関する情報を格納し、前記中心ページに隣接する隣接ページに含まれるデータについては、前記中心ページにおける格納数に達しない範囲で、前記表示手段が表示可能な所定数と同数または同数以上の前記データに関する情報を格納する、データ格納手段に相応する機能と、を実現させることを特徴とする。
【発明の効果】
【００１５】
本発明によれば、システムマイコンのデータ取得容量が小さくとも、効率的なデータ検索を行うことができる。
【発明を実施するための最良の形態】
【００１６】
本発明の実施形態を図１から図８を参照して説明する。図１は、本発明の実施形態のデータ処理装置のブロック構成図（図８の応用例とは異なり、発明を概略的なブロック構成で示す図）である。
【００１７】
本発明の実施形態のデータ処理装置は、図１に示すように、メモリ１と、ページ構築部２と、データが格納されるデータ格納部３と、このデータ格納部３に格納されたデータの中からデータを検索する検索部４と、検索部４により検索されたデータなどを表示する表示部５と、検索部４に検索キーなどの検索情報を入力したり、後述するページを捲る操作などを行う操作部６とを備えたデータ処理装置である。
【００１８】
本発明においては、データ格納部３の格納領域が複数に分割され、分割された個々の格納領域がそれぞれ連番を付している異なるページとして定義されている。そして、このページに格納されるデータは、ページ構築部２によって、所定の規則（この所定の規則については後述する）に従って抽出される、多数のファイルやフォルダの一部が列挙されている状態となっている。すなわち、多数のファイルやフォルダの一部が、所定の規則に従って、そのページにそれぞれ格納されている。
【００１９】
このように、本発明では、メモリ１が取得したデータの一部を、データ格納部３へ格納する手法に特徴があり、メモリ１が取得したデータ自体には、何ら加工処理（グループ分け（特許文献１）、データを識別するために必要最小限のタイトル等のデータの一部をコピーあるいは分割（特許文献２）など）を行っていないことも特徴である。
【００２０】
ここで、ページ構築部２の役割とデータ格納部３の役割とについて詳細に説明する。ページ構築部２は、メモリ１に格納されている全データについてページ分けを行う役割を担い、データ格納部３は、ページ構築部２がページ分けを行ったデータについて、その一部を自己の記憶部位に格納する役割を担っている。このとき、ページ構築部２は、予めメモリ１に格納されている全データについて各ページ毎の切れ目に相当するデータの識別情報を把握しておき、データ格納部３がページ番号（例えば、中心ページとなるページの番号）を指定してデータ格納の実施をページ構築部２に対して通知すると、ページ構築部２は、データ格納部３から指定されたページにおける所定の個数のデータをメモリ１から取得してデータ格納部３に転送し、データ格納部３は、ページ構築部２から転送されたデータを所定のページ位置に格納する。
【００２１】
ここで、例えばオーディオ装置等におけるデータ検索では、操作部６を用いて操作／検索するのは、水平方向（図４における他のページへ移動する方向）・垂直方向（図４における特定のページ内において移動する（表示部５でページ内をスクロールする）方向）の２つの方向であることが一般的である。そこで、本発明の実施形態の特徴とするところは、現在指定されているページ（中心ページ）におけるデータの取得は、後に垂直方向における検索が行われる可能性が高いことに鑑みて、ページ内の全てのデータを取得する。
【００２２】
一方、他のページ内のデータ検索またはデータ表示を行う場合、一度水平方向におけるページの移動を行った後に、垂直方向の移動を行う。そのため、現在の中心ページ以外の他のページにおいては、取得するデータを最小限のものとしてページを構成し、操作部６の操作によって、他のページが中心ページとなったときに、新たに垂直方向のデータを追加的に取得する。このような点を本発明は特徴としている。
【００２３】
以下に本発明の内容を、各図面に従って、順次説明する。
【００２４】
図１の例では、データ格納部３に格納されるデータ（連番が付されているページ）は、メモリ１に格納されているデータ（多数のファイルやフォルダ等）の一部であり、メモリ１の記憶容量は、データ格納部３の記憶容量と比較すると大きく、メモリ１に格納されている全データをデータ格納部３に格納することはできないものとする。
【００２５】
検索部４には、表示部５と操作部６とが接続されており、ユーザは、表示部５に表示されたデータの情報（連番が付されているページ内の情報）を目視確認することができる。また、操作部６から検索部４に対して検索対象となるページ（中心ページという；図５に示すように表示部５に現在表示されているページ）を指定することができる。さらに、操作部６から検索部４に対して検索キーなどの検索に必要な情報を入力することができる。
【００２６】
なお、操作部６としては、例えばオーディオ装置における上下方向・左右方向に情報表示等を移行させるための操作ボタンがあるが、その他のものを操作部６としてもよい。
【００２７】
図２は、メモリ１に格納されている全フォルダを示す図である。従来は、この図２に示す全フォルダをメモリ１が取得し、取得された全フォルダの中から、必要とするデータの検索を行うようになっている。図２の例では、７２個のフォルダＡＬ−Ａ００１〜ＡＬ−Ａ０７２が存在している。
【００２８】
図３は、表示部５の表示例を示す図である。本実施形態においては、表示部５は、オーディオ装置等の表示部（液晶パネル等）が例として挙げられる。図３に示す表示部５では、一度に３個のフォルダに関する情報（データに対応）を表示可能となっている。なお、表示部３において表示される、ページ内のフォルダに関する情報は、３個に限られるものではなく、１個、２個、または４個以上としてもよい。
【００２９】
図４は、メモリ１においてページに格納されている（分類されている）フォルダに関する情報を示す図である。この図４に示す例では、ページ数は全４ページとなっている。なお、この全ページからなるものが、ページ群に対応する。図４の例では、メモリ１に格納されている、全４ページに亘る（分類されている）全てのフォルダに関する情報として、フォルダ名が示されている。この例では、ユーザが操作部６を操作することにより、ページ１を中心ページとして選択している。そのため、ページ構築部２は、ページ１〜ページ４において、太枠で囲っている部分のフォルダに関する情報を取得し、それをデータ格納部３に格納する。この格納（分類）の工程では、メモリ１が取得したデータ自体には、何ら加工処理（グループ分け、コピー、分割など）を行っていない。
【００３０】
なお、図４では、ページ２およびページ４が、ページ１の隣接ページとなる。すなわち、ページ１を検索していたユーザが、次ページを選択するとページ２が表示され、前ページを選択するとページ４が表示されるという状況である。
【００３１】
ここで、本実施形態では、データ格納部３は、表示部５における表示対象である中心ページについては、所定数のフォルダに関する情報を格納し、中心ページに隣接する隣接ページについては、中心ページにおける格納数に達しない範囲で、表示部５が表示可能な所定数と同数または同数以上の数のフォルダに関する情報を格納する。また、中心ページおよび隣接ページ以外のページについては、隣接ページの格納数に達しない範囲で、表示部５が表示可能な所定数と同数または同数以上の数のフォルダに関する情報を格納する。
【００３２】
例えば、本実施形態では、中心ページにおいてフォルダを格納する所定数は、当該ページに格納し得る上限数とする。また、表示部５が表示可能な所定数と同数以上の数は、表示部５が表示可能な所定数の整数倍とする。また、隣接関係にあるページのフォルダは、各々の隣接関係において連続性を有しているとする。
【００３３】
すなわち、ページ構築部２は、表示部５のデータ表示対象となる中心ページ（図４の例ではページ１）に関しては、当該ページに存在する全てのフォルダに関する情報を取得して中心ページを新たに構築し、データ格納部３は、当該新たな中心ページを自己の記憶部位に格納する。また、中心ページの隣接ページ（図４の例ではページ２および４）については、ページ構築部２は、表示部５が表示可能な所定数と同数または当該所定数の整数倍の数のフォルダに関する情報を取得して隣接ページを新たに構築し、データ格納部３は、当該新たな隣接ページを自己の記憶部位に格納する。
【００３４】
また、中心ページおよび隣接ページ以外の他のページ（図４の例ではページ３）については、ページ構築部２は、隣接ページの格納数を超えない範囲で、表示部５が表示可能な所定数と同数または当該所定数の整数倍の数のフォルダに関する情報を取得して他のページを新たに構築し、データ格納部３は、その新たな他のページを自己の記憶部位に格納する。
【００３５】
このような規則（所定の規則）に基づいて作成される、新たなページが図５に示されている。図５では、ページ１では、当該ページ１に存在する全てのフォルダに関する情報（１８個のフォルダに関する情報）を格納して新たにページ１を作成し、ページ２および４では、６個のフォルダに関する情報を格納し、ページ３では、３個のフォルダに関する情報を格納している。
【００３６】
なお、総ページ数および中心ページに格納するフォルダに関する情報の個数については、フォルダの総数によって適宜変更が可能である。総ページ数が多ければ、中心ページに存在するフォルダに関する情報の個数は少なくなる。その反対に、総ページ数が少なければ、中心ページに存在するフォルダに関する情報の個数は多くなる。
【００３７】
なお、図５では、上述のような新たなページと共に、表示部５に一度に３個のフォルダに関する情報が表示されている状態も示している。図５の例では、ユーザは、ページ１の上から３つ目までのフォルダに関する情報を目視確認している。ユーザは、さらに、操作部６の操作により垂直方向への移動を行うことで、ページ１内の全てのフォルダに関する情報を即座に目視確認することができる。
【００３８】
図６は、図５に示す状態から、ユーザが、操作部６を操作して、例えば「次ページ」を選択したときの様子を示している。このようなユーザの操作によって、図６に示すように、ページ２が中心ページとなり、ページ１および３が中心ページの隣接ページとなり、ページ４がその他のページとなる。
【００３９】
このユーザの操作においては、表示部５では、操作前の中心ページであるページ１に関する表示状態から、予め作成されている、操作前の隣接ページであるページ２の上から３個のフォルダに関する情報を表示させる。続いて、データ格納制御部２は、全てのページに関して、上述の手法に基づいて、新たにページを構築し直す。それによって、中心ページとなるページ２に関しては、フォルダに関する情報が６個のみ存在する状態から、１８個存在する状態へと切り替わる。同様に、ページ１に関しては、フォルダに関する情報が１８個のみ存在する状態から６個存在する状態へと切り替わる。また、ページ３に関しては、フォルダに関する情報が３個存在する状態から、６個存在する状態へと切り替わる。また、ページ４に関しては、フォルダに関する情報が６個のみ存在する状態から、３個存在する状態へと切り替わる。
【００４０】
以上のように、本発明の実施形態では、特にページ数が多くなる場合に、データ格納部３内に格納されるページに関する総データ量を、大幅に低減させることが可能となる。また、新たに構築される各ページについても、当該新たな構築に係るデータ量が限定されたものであるため、非常に高速に各ページを構築する処理を行える。
【００４１】
また、図７は、ユーザが指定したページに表示がジャンプする様子を示す図であるが、この図７の例では、ユーザが指定したページに表示が移行する場合でも、移行先のページｎに関して、必要最小限のフォルダに関する情報をデータ格納部３に格納しておくことにより、即座にページｎにおけるフォルダに関する情報を表示可能となる。
【００４２】
なお、このようなページ表示のジャンプを考慮すれば、中心ページと隣接ページ以外の全てのページについても、表示部５で表示する最小のフォルダに関する情報を取得しておくようにすることが望ましい。しかしながら、一般的に、このようなページ表示のジャンプ操作の頻度は、中心ページから隣接ページへ順番にページを推移する操作の頻度と比べれば低いと考えられるので、データ格納部３の記憶容量が少ない場合には、必ずしも中心ページと隣接ページ以外へのフォルダに関する情報の格納は行わなくてもよい。
【００４３】
（応用例）
本発明の実施形態のデータ処理装置の応用例を図８を参照して説明する。図８は、音楽再生装置の構成図である。図８に示す音楽再生装置は、ＣＤ(Compact Disc)およびＭＤ(Micro Disk)に記録された音楽データを再生する他に、メモリカード、ＵＳＢ(Universal Serial Bus)メモリ、ハードディスク（内蔵または外付）、内蔵メモリなどに記録されている音楽データを再生することができる。これらのメモリカード、ＵＳＢメモリ、ハードディスク（内蔵または外付）、内蔵メモリは、図１に示すメモリ１の機能に相当する。
【００４４】
さらに、アンテナ１８およびチューナ部１３を用いて放送を受信して再生したり、アナログ入力部１９にマイクロフォン等を接続することにより、アナログデータを取り込んでスピーカ１７から出力する、またはＭＤに録音することができる。
【００４５】
セレクタ１２は、アナログ入力部１９またはチューナ部１３の出力のいずれかを選択し、アナログ・デジタル変換部１１に出力する。アナログ・デジタル変換部１１の出力とＣＤメカ部１０の出力とは入力切換部９によって切り換えられてＤＳＰ７に出力される。なお、ＣＤメカ部１０は、挿入されたＣＤから音楽データを読み出し、入力切換部９に出力する。
【００４６】
ＤＳＰ７は、ＭＤメカ部１６からのデータ、ＣＤメカ部１０またはアナログ・デジタル変換部１１からのデータ、メモリ１からのデータをそれぞれ入力し、デジタル・アナログ変換部１４に出力する。
【００４７】
デジタル・アナログ変換部１４の出力は、アンプ部１５により増幅されてスピーカ１７から出力される。
【００４８】
メモリ１に格納されているデータは、ＤＳＰ(Digital Signal Processor)７が取得可能であるが、システムマイコン８内では、上述の所定の規則に従って新たに作成されるページを記憶部位（データ格納部３）に格納する。そして、システムマイコン８内では、操作部６からの操作入力に従って、データ検索を行う。なお、ＤＳＰ８が、図１に示すページ構築部２の機能に相応する機能を担い、システムマイコン９は、図１に示すデータ格納部３および検索部４の機能に相応する機能を担っている。なお、ページ構築部２の機能についてもシステムマイコン９が担う構成であってもよい。
【００４９】
ユーザが楽曲データを検索する際には、操作部６を操作してデータ格納部３に定義されたページを選択し、表示部５に表示されたデータを目視確認しながらデータ検索を行う。このときに、データ格納部３の機能に相応するシステムマイコン８は、本発明のデータ検索方法の手順に基づきデータ格納部３にメモリ１内のデータの一部である、新たなページを格納する。
【００５０】
これにより、システムマイコン８内のデータ格納部３には、メモリ１に格納されているデータ量よりも少ないデータ量を格納しているにも関わらず、ユーザから見ると、あかたもメモリ１内に格納されている全データがデータ格納部３に格納されているかのように見える。
【００５１】
（プログラムの実施例）
情報処理装置にインストールすることにより、その情報処理装置に、本実施形態のデータ処理装置の機能に相応する機能を実現させるプログラムの実施例を説明する。
【００５２】
本実施例のプログラムは記録媒体に記録されることにより、情報処理装置は、この記録媒体を用いて本実施例のプログラムをインストールすることができる。あるいは、本実施例のプログラムを保持するサーバからネットワークを介して直接情報処理装置に本実施例のプログラムをインストールすることもできる。
【００５３】
これにより、情報処理装置を用いて、本実施形態のデータ処理装置の特徴的な機能であるページ構築部２、データ格納部３の機能に相応する機能を実現することができる。なお、その他の機能についても本実施例のプログラムによって実現してもよい。例えば、図８の例においては、情報処理装置とは、ＤＰＳ７またはシステムマイコン８である。
【００５４】
なお、本実施例のプログラムは、情報処理装置によって直接実行可能なものだけでなく、ハードディスクなどにインストールすることによって実行可能となるものも含む。また、圧縮されたり、暗号化されたりしたものも含む。
【００５５】
（変形例）
以上、本発明の一実施の形態について説明したが、本発明は、これ以外にも種々変形可能である。例えば、中心ページにおいて、当該中心ページの上方ではない部位（例えば中心ページの中央部付近）のフォルダに関する情報が、表示部５に表示されている場合、新たに構築される隣接ページ／他のページにおいては、その水平方向に位置するフォルダに関する情報のみが存在するように、各ページを構築してもよい。
【００５６】
また、操作部６が、上下方向・左右方向以外の斜め方向にも移動可能とするものである場合、新たに構築されるページに、当該斜め方向への移動を考慮した分のフォルダに関する情報を持たせておくようにしてもよい。
【００５７】
さらに、ページが有するデータとしては、フォルダに関する情報以外に、個々のファイルに関する情報、分割されたファイルに関する情報等としてもよい。
【図面の簡単な説明】
【００５８】
【図１】本発明の実施形態のデータ処理装置のブロック構成図である。
【図２】メモリ内の全データを示す図である。
【図３】表示部の表示例を示す図である。
【図４】ページに格納されたデータの状態を示す図である。
【図５】各ページに格納されているデータの状態と併せて表示部に表示されたデータの状態を示す図である。
【図６】各ページに格納されているデータの状態と併せて表示部に表示されたデータの状態を示す図である。
【図７】ユーザが指定したページに表示がジャンプする様子を示す図である。
【図８】音楽再生装置の構成図である。
【符号の説明】
【００５９】
１  メモリ（記憶手段）
２  ページ構築部（ページ構築手段）
３  データ格納部（データ格納手段）
４  検索部
５  表示部（表示手段）
６  操作部
７  ＤＳＰ
８  システムマイコン
９  入力切換部
１０  ＣＤメカ部
１１  アナログ・デジタル変換部
１２  セレクタ
１３  チューナ部
１４  デジタル・アナログ変換部
１５  アンプ部
１６  ＭＤメカ部
１７  スピーカ
１８  アンテナ
１９  アナログ入力部
【図１】
2009158072.tif 000003
【図２】
2009158072.tif 000004
【図３】
2009158072.tif 000005
【図４】
2009158072.tif 000006
【図５】
2009158072.tif 000007
【図６】
2009158072.tif 000008
【図７】
2009158072.tif 000009
【図８】
2009158072.tif 000010